(57)【特許請求の範囲】
【請求項１】
機器本体の一つの面に対しスライド移動自在に取り付けられ、該一つの面を覆う位置と該一つの面の少なくとも一部を開放する位置とに亘って移動自在な操作パネルを備えた電子機器において、
前記機器本体には前記操作パネルを付勢する付勢手段が取り付けられ、
前記付勢手段は、前記操作パネルが前記一つの面を覆う位置に位置したとき、前記操作パネルを前記機器本体の一つの面に向けて付勢することを特徴とする電子機器。
【請求項２】
前記操作パネルには、前記機器本体の一つの面に向けて押圧される押しボタンが設けられ、
前記付勢手段は、前記押しボタンが押圧される方向と同方向に前記操作パネルを付勢することを特徴とする請求項１記載の電子機器。
【請求項３】
前記操作パネルには回転自在となるローラが取り付けられ、
前記機器本体には前記ローラが摺動可能に係合される摺動溝が形成され、
前記ローラが前記摺動溝に沿って摺動することにより前記操作パネルが前記一つの面に対しスライド移動するとともに、前記操作パネルが前記一つの面を覆う位置に位置したとき前記ローラが前記付勢手段により付勢されることを特徴とする請求項１又は請求項２記載の電子機器。
【請求項４】
前記付勢手段は、前記機器本体に取り付けられる取付部と、
前記摺動溝内に位置するとともに前記ローラと接触して弾性変形する弾性変形部と、を一体に備えたばね片であることを特徴とする請求項３記載の電子機器。
【請求項５】
前記弾性変形部は、前記摺動溝内において、前記操作パネルが前記一つの面を覆う位置に位置したときに前記ローラを介して前記一つの面と反対側となる位置に位置付けられていることを特徴とする請求項４記載の電子機器。
【発明の詳細な説明】
【０００１】
【発明の属する技術分野】
本発明は、移動体としての自動車などに装着される、表示部や各種操作ボタン等を有する操作パネルを備えた電子機器に関する。
【０００２】
【従来の技術】
移動体としての自動車のインストルメントパネル（以下インパネと呼ぶ）には、電子機器としてのカーステレオが取り付けられる。カーステレオは、前記インパネに取り付けられる機器本体と液晶ディスプレイ等の表示部や各種操作ボタンを有する操作パネルとを備えている。
【０００３】
機器本体は、ＣＤプレーヤ、ＭＤ（Mini disc）プレーヤやナビゲーション装置を構成するＣＤ−ＲＯＭプレーヤなどを内蔵している。操作パネルは、液晶ディスプレイなどに前記ナビゲーション装置における地図情報や、ＣＤプレーヤ及びＭＤプレーヤの再生状況を示す情報などを表示する。また、操作パネルは、前記ナビゲーション装置、ＣＤプレーヤ、ＭＤプレーヤの各種機能の動作指令を行う際に操作されるタッチスイッチや押圧ボタンが設けられている。
【０００４】
前述したカーステレオは、インパネに装着する際にかかる設置スペースを抑制するために、機器本体の使用者に相対する面（以下前面と称する）に前記ＣＤ、ＭＤ、ＣＤ−ＲＯＭを機器本体内に出し入れ自在とする挿入口を設けている。さらに、カーステレオは、前記前面を覆う位置と前記前面の少なくとも一部を開放する位置とに亘って、操作パネルをスライド移動可能としている。そのため、操作パネルは機器本体に対し、その一部に極僅かな隙間を設けて取り付けられている。
【０００５】
前述したカーステレオは、操作パネルを機器本体の前面の少なくとも一部を開放する位置に位置させて、ＣＤ、ＭＤ、ＣＤ−ＲＯＭなどを機器本体内に出し入れする。ＣＤ、ＭＤ、ＣＤ−ＲＯＭなどを機器本体内に挿入した後、操作パネルを前面を覆う位置に移動させて、タッチスイッチや各種の押圧ボタンを操作して、ＣＤプレーヤ、ＭＤプレーヤ、ＣＤ−ＲＯＭプレーヤなどを駆動させる。これらプレーヤの再生状況を示す情報を液晶ディスプレイなどに表示する。
【０００６】
【発明が解決しようとする課題】
前述した従来のカーステレオは、操作パネルが前述した前面を覆う位置とその前面の少なくとも一部を開放する位置とに亘ってスライド移動可能となっている。また、自動車の走行中などに発生する振動の影響を受けて操作パネルが振動して異音を生じさせないために、クッションなどの弾性変形自在な弾性体が機器本体の前面に取り付けられ、そして、操作パネルが前面を覆う位置に位置すると弾性体が操作パネルの裏面に押圧されて圧縮されるとともに、その圧縮された弾性体の反発力により操作パネルを使用者に向けて（前面が位置する方向と逆の方向）付勢している。
【０００７】
このため、使用者が前述したタッチスイッチや押圧ボタンを弾性体の付勢力に抗して、その付勢力より強い力を掛けて押すと、操作パネルが機器本体に向って極僅かだが前述した隙間分動いてしまうことになる。つまり、操作パネルがその押圧方向と同方向に動いてしまうことにより、良好なクリック感が得られず、使用者に対して違和感を与えてしまっていた。
【０００８】
上記した問題点を鑑みてなされた本発明の目的は、そのような操作時における違和感を与えることのない操作パネルを備えた電子機器を提供することにある。
【０００９】
【課題を解決するための手段】
前記課題を解決し目的を達成するために、請求項１に記載の本発明の電子機器は、機器本体の一つの面に対しスライド移動自在に取り付けられ、該一つの面を覆う位置と該一つの面の少なくとも一部を開放する位置とに亘って移動自在な操作パネルを備えた電子機器において、前記機器本体には前記操作パネルを付勢する付勢手段が取り付けられ、前記付勢手段は、前記操作パネルが前記一つの面を覆う位置に位置したとき、前記操作パネルを前記機器本体の一つの面に向けて付勢することを特徴としている。
請求項２に記載の本発明の電子機器は、請求項１記載の電子機器において、前記操作パネルには、前記機器本体の一つの面に向けて押圧される押しボタンが設けられ、前記付勢手段は、前記押しボタンが押圧される方向と同方向に前記操作パネルを付勢することを特徴としている。
【００１０】
請求項３に記載の本発明の電子機器は、請求項１又は請求項２記載の電子機器において、前記操作パネルには回転自在となるローラが取り付けられ、前記機器本体には前記ローラが摺動可能に係合される摺動溝が形成され、前記ローラが前記摺動溝に沿って摺動することにより前記操作パネルが前記一つの面に対しスライド移動するとともに、前記操作パネルが前記一つの面を覆う位置に位置したとき前記ローラが前記付勢手段により付勢されることを特徴としている。
【００１１】
請求項４に記載の本発明の電子機器は、請求項３記載の電子機器において、前記付勢手段は、前記機器本体に取り付けられる取付部と、前記摺動溝内に位置するとともに前記ローラと接触して弾性変形する弾性変形部と、を一体に備えたばね片であることを特徴としている。
【００１２】
請求項５に記載の本発明の電子機器は、請求項４記載の電子機器において、前記弾性変形部は、前記摺動溝内において、前記操作パネルが前記一つの面を覆う位置に位置したときに前記ローラを介して前記一つの面と反対側となる位置に位置付けられていることを特徴としている。
【００１３】
請求項１に記載した本発明の電子機器によれば、付勢手段が機器本体の一つの面を覆う位置にある操作パネルを機器本体の一つの面に向けて付勢している。即ち、操作パネルに設けられた操作ボタン等の操作方向とほぼ同方向に付勢しているため、操作パネルが移動されることがない。よって、良好なクリック感が得られ、利便性が向上する。
【００１４】
請求項３に記載した本発明の電子機器によれば、操作パネルをスライド移動可能とするローラの摺動経路に付勢手段を設けたため、操作パネルが機器本体の一つの面を覆う位置に位置するだけで付勢される。従って、付勢手段が操作パネルを付勢するための特別な構成を設けることなく、簡易な構成によって操作パネルを付勢させることができる。
【００１５】
請求項４に記載した本発明の電子機器によれば、付勢手段であるばね片の取付部が機器本体に固着され、それと一体となる弾性変形部をローラの摺動経路に位置付けている。従って、操作パネルのローラが弾性変形部に接触してそれを押圧し弾性変形させたとしても、そのローラによる押圧力に抗した復元力を確実にローラに与えることができるため、操作パネルを確実に付勢させることができる。
【００１６】
請求項５に記載した本発明の電子機器によれば、付勢手段であるばね片の弾性変形部は、ローラの摺動経路内において、操作パネルが機器本体の一つの面を覆う位置に位置したときにそのローラを介して機器本体の一つの面と反対側の位置に位置付けられる。よって、操作パネルが機器本体の一つの面を覆う位置に位置しローラが弾性変形部に接触して押圧したときに、その弾性変形部による復元力を機器本体の一つの面に向けて与えることができる。
【００１７】
【発明の実施の形態】
本発明の一実施形態にかかる電子機器としての多機能電子機器１を図１乃至図８を参照して説明する。図１などに示す多機能電子機器１は、移動体としての自動車のインストルメントパネルに装着される。多機能電子機器１は、図１及び図２に示すように、機器本体２と、操作パネルとしての操作表示ユニット３とを備えている。操作表示ユニット３は、その両側面上方にローラ１４（図２などに示す）を有し、機器本体２には、ローラ１４を付勢する付勢手段としてのばね片２０が固着されている。
【００１８】
機器本体２は、箱状に形成されたシャーシ１０と、図２中手前に位置するシャーシ１０の前方に設けられた一つの面としての前面１０ａと、このシャーシ１０内に収容される図示しないＣＤプレーヤ６等の再生装置と、操作表示ユニット３を前面１０ａに対しスライド移動させる駆動機構４（図２にその一部を示す）とを備えている。前面１０ａにはその全ての辺に立設するように一体成形された複数の立設壁１０ｃを備え、操作表示ユニット３は、複数の立設壁１０ｃによって形成された空間領域に回動自在に収容される。
【００１９】
また、その収容された操作表示ユニット３の両側に位置する立設壁１０ｃの内面には鉛直方向に延在する摺動溝としてのガイド溝１６が形成されている。ガイド溝１６は、立設壁１０ｃの内面から凹に形成されている。このガイド溝１６には、後述する操作表示ユニット３の両側面上方に突設したローラ１４が摺動可能に係合される。また、立設壁１０ｃにおけるガイド溝１６の上端部の一部を含むその付近には、図３乃至図８に示すように、貫通孔１７が形成されている。この貫通孔１７は、複数の立設壁１０ｃにより形成された空間領域からシャーシ１０の外側に亘って貫通されている。
【００２０】
図示例では、再生装置としてＣＤプレーヤ６、ＭＤプレーヤ７、ナビゲーション装置を構成するＣＤ−ＲＯＭプレーヤ８とがシャーシ１０内に収容されている。なお、図示してないが、ラジオ放送を受信するＡＭ／ＦＭチューナ等やテレビ放送波を受信するテレビチューナ等を収容させても良い。これらの再生装置や受信装置は、例えば、操作表示ユニット３に設けられた後述する押しボタン１８等を使用者が押圧することによって動作する。
【００２１】
前面１０ａには、図２に示すように、前記ＭＤプレーヤ７にＭＤを挿入するためのスリット１２と、ＣＤプレーヤ６及びＣＤ−ＲＯＭプレーヤ８にＣＤ及びＣＤ―ＲＯＭを挿入する挿入口１３ａ及び挿入口１３ｂとが設けられている。
【００２２】
駆動機構４は、図２に示すアーム１９と、図示しないモータなどを備えている。アーム１９は、一方向に沿って延びた帯状に形成されている。アーム１９は、その長手方向に沿ってスライド自在に、シャーシ１０に支持されている。アーム１９は、シャーシ１０の両側壁内面に沿って２つ設けられている。また、各アーム１９の一端部には、孔１９ａ（図４などに示す）が形成され、その孔１９ａには、操作表示ユニット３の両側面下方付近に設けられたピン３ｂ（図４などに示す）が回転自在に嵌合されている。前記モータは、各アーム１９をシャーシ１０に対しスライド移動させる。つまり、モータの駆動力によって、各アーム１９は前面１０ａの下方に形成された図示せぬ貫通孔を通してシャーシ１０の内外方向に移動される。
【００２３】
前述した構成の駆動機構４は、モータからの駆動力を受けて、各アーム１９がシャーシ１０の内外方向に移動する。また、各アーム１９がシャーシ１０の内外方向に移動することで、操作表示ユニット３の両側面上方に設けられたローラ１４がガイド溝１６に沿って摺動する。すなわち、モータからの駆動力を受けて各アーム１９がシャーシ１０の外方向に移動することにより操作表示ユニット３は、その表面が上方に向くようにして倒され、シャーシ１０の前面１０ａの少なくとも一部を開放する位置（図２に示す）に移動される。また、アーム１９がシャーシ１０の内方向に移動することにより、倒された状態にある操作表示ユニット３は前面１０ａを覆う位置（図１に示す）に移動され、ローラ１４はガイド溝１６の上端部に位置付けられる。
【００２４】
操作表示ユニット３は、液晶ディスプレイ（ＬＣＤ：Liquid Crystal Display）などからなる画像情報等を表示する表示パネル５を備えている。操作表示ユニット３は、表示パネル５に、ＣＤ−ＲＯＭプレーヤ８によって再生された地図情報や、テレビチューナが受信したテレビ放送波の映像等を表示する。
【００２５】
また、操作表示ユニット３は、その表面に押しボタン１８を複数設けている。押しボタン１８は、使用者により図１中矢印Ｘで示す方向に押圧されることにより操作される。これらの押しボタン１８が操作されることにより、シャーシ１０の内部に収容された各種再生装置等が動作するとともに、操作表示ユニット３が前述したようにスライド移動される。例えば、押しボタン１８のうちの選択ボタン（例えば、ＣＤ、ＭＤ等を選択するためのボタン）やＯＰＥＮボタンが押圧操作されると、操作表示ユニット３が駆動機構４によりスライド移動される。すなわち、選択ボタンによりＭＤが選択されると、駆動機構によって操作表示ユニット３がシャーシ１０の前面１０ａに形成されたスリット１２のみを開放する位置までスライド移動される。また、ＯＰＥＮボタンが押圧操作されることにより、シャーシ１０の前面１０ａに形成されたすべての挿入口（スリット１２、挿入口１３ａ及び挿入口１３ｂ）が開放される位置までスライド移動される。そして、ＣＤやＭＤ等の所望のディスクが挿入口１２，１３ａ，１３ｂから挿入又は排出されると、操作表示ユニット３は、駆動機構４により自動的にシャーシ１０の前面１０ａを覆う位置（すべての挿入口１２，１３ａ，１３ｂを覆い隠す位置）まで移動される。なお、シャーシ１０の前面１０ａを開放した状態で所望のディスクが挿入されると、操作表示ユニット３は自動的にその前面１０ａを覆う位置に移動され、例えば、使用者が押しボタン１８のうち再生（プレイ）ボタンやサーチボタン等を操作することによりそのディスクの再生や、サーチ動作等が行われる。なお、これらのスライド移動は、図示せぬマイコン等が駆動機構４のモータの回転方向や回転数を制御することにより行われる。つまり、マイコンが使用者による押しボタン１８の操作や、ディスクが挿入されたことを認識して、その操作等に応じたスライド位置となるようにモータの回転方向やその回転数を制御してスライド移動させる。
【００２６】
ローラ１４は、円盤状に形成されかつ操作表示ユニット３の両側面上方に軸芯周りに回転自在に設けられている。ローラ１４は、前述したガイド溝１６に係合して、軸芯周りに回転することでガイド溝１６に沿って移動自在に設けられている。なお、ローラ１４は、ガイド溝１６に沿って滑らかに摺動すべく該ガイド溝に対して極僅かな隙間をもって係合されている。また、ローラ１４は、操作表示ユニット３の側面から突出している。
【００２７】
ばね片２０は、板金からなり、図７及び図８に示すように、取付部２１と、弾性変形部２２とを一体に備えている。取付部２１は、立設壁１０ｃの外面に沿った平板状に形成されており、図６に示すように、立設壁１０ｃの外面に重ねられてビス等により機器本体２に取り付けられる。
【００２８】
弾性変形部２２は、帯状に形成されている。また、取付部２１が立設壁１０ｃの外面に取り付けられたとき、その一端部から複数の立設壁１０ｃによって形成された空間領域に向って屈折した屈折部２１ａから前面１０ａに向って若干斜め上方に延在している。取付部２１が立設壁１０ｃの外面に取り付けられると、図４に示すように、屈折部２１ａと弾性変形部２２は貫通孔１７を通して立設壁１０ｃの内側に侵入し、さらに、弾性変形部２２がガイド溝１６内に位置付けられる。この弾性変形部２２は、操作表示ユニット３が前面１０ａを覆う位置に移動されると、ローラ１４に押圧されて図３や図５で示す状態に弾性変形される。なお、この弾性変形部２２は、図８中の実線で示すローラ１４が押圧されていない状態からローラ１４に押圧されることにより同図中の二点鎖線で示す状態に弾性変形される。
【００２９】
また、この弾性変形部２２は、取付部２１が立設壁１０ｃの外面に取り付けられると、ガイド溝１６の上端部に位置付けられる。つまり、操作表示ユニット３が前面１０ａを覆う位置に移動されると、ローラ１４がガイド溝１６の上端部に位置付けられるため、この上端部に弾性変形部２２を位置付けることで、その弾性変形部２２はローラ１４の移動に伴ってそのローラ１４に押圧されて図３や図５に示す状態に弾性変形される。また、弾性変形部２２は、操作表示ユニット３が前面１０ａを覆う位置に位置したとき、すなわち、ローラ１４が弾性変形部２２に接触したときに弾性変形部２２がそのローラ１４を介して前面１０ａと反対側となるようにガイド溝１６内に位置付けられている。
【００３０】
このようにすることで、操作表示ユニット３が前面１０ａを覆う位置に位置すると、ローラ１４が弾性変形部２２を押圧して弾性変形させ、弾性変形部２２はその復元力により操作表示ユニット３を図５の矢印Ｙで示す方向に付勢する。つまり、この弾性変形部２２の付勢力によりローラ１４がガイド溝１６の前面１０ａ寄りの側壁に押しつけられ、操作表示ユニット３自体が機器本体２に固定された状態となる。なお、この弾性変形部２２による付勢方向は、前述した操作表示ユニット３の表面に設けられた押しボタン１８が操作される際に加えられる押圧方向（図１及び図５中に矢印Ｘで示す方向）とほぼ同方向になるため、使用者がその押しボタン１８を押圧操作しても、操作表示ユニット３が移動されることなく良好なクリック感が得られる。
【００３１】
ローラ１４と弾性変形部２２との接触状態が解除される（操作表示ユニット３が前面１０ａの少なくとも一部を開放する位置に移動される）と、弾性変形部２２は元の位置に戻り、ローラ１４が接触していない間は常にその状態に保持されている。なお、本実施形態においては、操作表示ユニット３の一方側面に突設されたローラ１４を付勢することについて説明したが、他方側面に突設されたローラ１４も同様にして付勢される。
【００３２】
前述した構成の多機能電子機器１は、ＭＤ、ＣＤやＣＤ−ＲＯＭなどを機器本体２内に挿入する際には、操作表示ユニット３を図２及び図４に示す位置に位置させる。このとき、ばね片２０の弾性変形部２２は、ローラ１４と接触せずに弾性変形していない状態を保っている。
【００３３】
そして、ＭＤ、ＣＤやＣＤ−ＲＯＭなどの再生を行う場合や、表示パネル５で地図情報やテレビ放送波の映像を表示する際には、操作表示ユニット３を図１及び図３に示す位置に移動させる。操作表示ユニット３が前面１０ａを覆う位置では、ばね片２０の弾性変形部２２は、ローラ１４と接触して弾性変形するとともに、該ローラ１４を矢印Ｙに沿って前面１０ａに向けて付勢する。即ち、弾性変形部２２は、ローラ１４を操作表示ユニット３の表示パネル５の裏側に位置する背面３ｃ（図４、図６ないし図８に示す）が機器本体２の奥側に向かう方向に付勢する。
【００３４】
本実施形態によれば、操作表示ユニット３が前面１０ａを覆うと、ばね片２０の弾性変形部２２がローラ１４を介して前面１０ａと反対側に位置付けられている。即ち、ばね片２０の弾性変形部２２がローラ１４の機器本体２から離れた側に位置している。このため、弾性変形部２２がローラ１４の使用者寄りに位置する。
【００３５】
また、弾性変形部２２は、前面１０ａを覆った操作表示ユニット３の両側面上方（上端部）に回転自在に設けられたローラ１４と接触して、弾性変形する。このため、ばね片２０の弾性変形部２２は、ローラ１４即ち操作表示ユニット３を矢印Ｙに沿って前面１０ａに向けて付勢する。即ち、ばね片２０の弾性変形部２２は、ローラ１４即ち操作表示ユニット３を操作表示ユニット３の背面３ｃが機器本体２の奥側に向かう方向に確実に付勢できる。
【００３６】
このため、矢印Ｘで示す押しボタン１８の操作方向と同方向に、弾性変形部２２が操作表示ユニット３を付勢する。このため、押しボタン１８を機器本体２の奥側に向かって押しても、操作表示ユニット３が移動されることがない。したがって、操作を良好に行えるとともに、操作時の違和感を抑制でき、良好なクリック感が得られ利便性が向上する。
【００３７】
ばね片２０の取付部２１が機器本体２に固着され、弾性変形部２２をローラ１４の摺動経路となるガイド溝１６内に位置付けている。このため、操作表示ユニット３が前面１０ａを覆う位置に位置するだけで、弾性変形部２２がローラ１４即ち操作表示ユニット３を付勢できる。従って、ばね片２０が操作表示ユニット３を付勢するための特別な構成を設けることなく、簡易な構成によって操作表示ユニット３を付勢できる。また、ローラ１４が弾性変形部２２に接触してそれを押圧し弾性変形させたとしても、そのローラ１４による押圧力に抗した復元力を確実にローラ１４に与えることができるため、操作表示ユニット３を確実に付勢できる。
【００３８】
前述した実施形態では、操作表示ユニット３の表示パネル５に押しボタン１８を複数設けている。しかしながら、本発明では、表示パネル５に所謂タッチスイッチ（タッチパネルとも呼ぶ）を設けても良いことは勿論である。
【００３９】
【発明の効果】
以上説明したように請求項１に記載の本発明によれば、付勢手段が機器本体の一つの面を覆う操作パネルを機器本体の一つの面に向けて付勢している。即ち、操作パネルに設けられた操作ボタン等の操作方向とほぼ同方向に付勢している。このため、操作ボタンを押しても操作パネルが移動されることがない。したがって、操作を良好に行えるとともに、操作時の違和感を抑制できる。
【００４０】
請求項３に記載の本発明によれば、操作パネルをスライド移動可能とするローラの摺動経路に付勢手段を設けている。操作パネルが機器本体の一つの面を覆う位置に位置するだけで付勢される。従って、簡易な構成によって操作パネルを付勢できる。
【００４１】
また、操作パネルを機器本体の一つの面を覆う位置に位置させるだけで確実に付勢できる。このため、操作パネルの操作ボタンを押しても、操作パネルが確実に移動しない。したがって、操作をより良好に行えるとともに、操作時の違和感をより確実に抑制できる。
【００４２】
請求項４に記載の本発明によれば、ばね片の取付部が機器本体に固着されて弾性変形部をローラの摺動経路に位置付けている。このため、操作パネルのローラが弾性変形部に接触してそれを押圧し弾性変形させたとしても、そのローラによる押圧力に抗した復元力を確実にローラに与えることができるため、操作パネルを確実に付勢させることができる。したがって、操作をより一層良好に行えるとともに、操作時の違和感をより一層確実に抑制できる。
【００４３】
請求項５に記載の本発明によれば、付勢手段であるばね片の弾性変形部は、ローラの摺動経路内において、操作パネルが機器本体の一つの面を覆う位置に位置したときにそのローラを介して機器本体の一つの面と反対側の位置に位置付けられる。このため、操作パネルが機器本体の一つの面を覆う位置に位置すると、弾性変形部はローラ即ち操作パネルを機器本体の一つの面に向けて確実に付勢できる。したがって、操作をより一層良好に行えるとともに、操作時の違和感をより一層確実に抑制できる。
【図面の簡単な説明】
【図１】本発明の一実施形態にかかる多機能電子機器の外観を示す斜視図である。
【図２】図１に示された多機能電子機器の操作表示ユニットが前面の一部を開放した状態を示す斜視図である。
【図３】図１中のＩＩＩ−ＩＩＩ線に沿った断面図である。
【図４】図２中のＩＶ−ＩＶ線に沿った断面図である。
【図５】図３中のＶ部を拡大して示す断面図である。
【図６】図３中のＶＩ−ＶＩ線に沿った断面図である。
【図７】図６に示された多機能電子機器の要部を分解して示す断面図である。
【図８】図１に示された多機能電子機器の要部を分解して示す側断面図である。
【符号の説明】
１  多機能電子機器（電子機器）
２  機器本体
３  操作表示ユニット（操作パネル）
１０ａ  前面（一つの面）
１４  ローラ
１６  ガイド溝（摺動溝）
２０  ばね片（付勢手段）
２１  取付部
２２  弾性変形部
【図１】
0003730564.tif 000002
【図２】
0003730564.tif 000003
【図３】
0003730564.tif 000004
【図４】
0003730564.tif 000005
【図５】
0003730564.tif 000006
【図６】
0003730564.tif 000007
【図７】
0003730564.tif 000008
【図８】
0003730564.tif 000009